(57)【要約】【課題】  地震等の災害によって地上家屋の倒壊、断水、停電等が発生しても、住み馴れた自宅で家族揃って救助を受けるまで避難生活を送ることができる自主防災システム住宅を提供する。【解決手段】  地上家屋の一階廊下２に連設した昇降用階段３を介して埋設された地下居室４に、緊急用貯水タンク５と電力供給用コンセント６を備えてなる地下避難施設１Ａと、敷地内に埋設した飲料水備蓄施設１Ｂと、敷地に載置した自家発電施設１Ｃを備え、緊急時に飲料水と電力の供給が確保できるように構成した。【選択図】  図４
2005042434.tif 000002
【特許請求の範囲】
【請求項１】
地上家屋の一階廊下に連設した昇降用階段を介して埋設された地下居室に、緊急用貯水タンクと電力供給用コンセントを備えてなる地下避難施設と、敷地に埋設された貯水用タンクのの上手側底壁近傍部位に接続され、逆止弁を介して上水道管に連通接続された給水管と、下手側上壁近傍部位に接続され、地上家屋の水道栓に連通接続された送水管と、タンクの上面に設けられた水の汲出口とからなる飲料水備蓄施設と、敷地に載置された自家発電機により駆動される汲上げポンプと、汲上げポンプを介して貯水用タンクの汲出口と地下居室の緊急用貯水タンクとを連通接続した汲出管と、自家発電機と地下居室の電力供給用コンセントとを接続した電力供給線とからなる自家発電施設とによって構成されていることを特徴とする自主防災システム住宅。
【発明の詳細な説明】
【技術分野】
【０００１】
本発明は、自主防災システム住宅に係り、詳しくは、地上家屋に連設され避難生活に最小限必要な地下避難施設と、飲料水備蓄施設および自家発電施設を備え、地震等の災害によって地上家屋の倒壊、断水、停電等の緊急事態が発生しても、地域ごとに指定された避難場所に避難することなく、住み馴れた自宅地下避難施設で家族揃って救助を受けるまで避難生活を送ることができる自主防災システム住宅に関するものである。
【背景技術】
【０００２】
敷地面積の少ない小住宅の居住者は、居住空間を可及的に拡張して快適な生活を送りたいという潜在的な願望があり、近時の小住宅はこの願望に応えるべく、採光性、換気性、断熱性、防水性、剛性等を有する地下居室を施工する傾向にある。そして、施工された地下居室は応接室、アトリエ、書斎等多目的に使用されているのが現状である。
【０００３】
本発明の出願人も、かねてから地下居室の有用性に着目し、安全で快適な居住空間を拡張するという視点から、地下居室を開発して特許を取得したが、上記地下居室を災害時における避難生活施設として使用するという構想は未だ提案されていないのが実状である。
【特許文献１】特許第３０７５５１９号（特開平１０−３１１０５０号公報）
【０００４】
一方、大震災が発生した場合とか、発生する惧れがある場合の現状の対策としては、地域ごとに指定された避難場所、例えば学校の体育館、公民館等に避難する方法が採られているのみであって、被災者等は仕切のない場所で、しかも面識のない人々と一緒に雑魚寝状態で長期間避難生活を余儀なく送らなければならない。そのため、食料や生活必需品の援助を受けても、精神的なストレスにより不眠が重なって体調を崩すなどの不具合がある。
【発明の開示】
【発明が解決しようとする課題】
【０００５】
本発明は上記のような実情に鑑み、全く新しい構想に基づいて創案されたものであって、その意図するところは、地上家屋に連設された避難生活に最小限必要な地下避難施設、飲料水備蓄施設および自家発電施設を備え、地震等の災害によって地上家屋の倒壊、断水、停電等の緊急事態が発生しても、地域ごとに指定された避難場所に避難することなく、住み馴れた自宅地下避難施設で家族揃って救助を受けるまで避難生活を送ることができる自主防災システム住宅を提供することを課題とするものである。
【課題を解決するための手段】
【０００６】
上記課題を解決するため、本発明が採用した技術的手段は、地上家屋の一階廊下に連設した昇降用階段を介して埋設された地下居室に、緊急用貯水タンクと電力供給用コンセントを備えてなる地下避難施設と、敷地に埋設された貯水用タンクのの上手側底壁近傍部位に接続され、逆止弁を介して上水道管に連通接続された給水管と、下手側上壁近傍部位に接続され、地上家屋の水道栓に連通接続された送水管と、タンクの上面に設けられた水の汲出口とからなる飲料水備蓄施設と、敷地に載置された自家発電機により駆動される汲上げポンプと、汲上げポンプを介して貯水用タンクの汲出口と地下居室の緊急用貯水タンクとを連通接続した汲出管と、自家発電機と地下居室の電力供給用コンセントとを接続した電力供給線とからなる自家発電施設とによって構成されていることを特徴とするものである。
【発明の効果】
【０００７】
したがって、本発明によれば、通常居住者は地下避難施設を応接室、アトリエ、書斎等所望する目的に使用して快適な生活を満喫することができ、また、必要に応じて貯水用タンクの送水管に接続された水道栓を開閉すれば水を使用することができる。
【０００８】
一方、地震等の災害によって地上家屋が倒壊したり、断水、停電等が発生した場合には、自家発電機を始動させることにより、地下居室の緊急用貯水タンクに水を供給することができ、また電力供給用コンセントに照明具やテレビのプラグを差し込めば、発電機の稼働中夜間の照明が得られ、テレビの視聴もできる。したがって、居住者は地下避難施設で家族揃って避難生活を送ることができ、精神的なストレスも低減できる。
【発明を実施するための最良の形態】
【０００９】
地上家屋の一階廊下に昇降用階段を介して連設した地下避難施設に、緊急用の飲料水と電力の供給を確保し、家族揃って救助を受けるまで避難生活ができるようにした。
【実施例】
【００１０】
図１は地下避難施設、飲料水備蓄施設および自家発電施設を備えた自主防災システム住宅の斜視図、図２は同上一階廊下と地下居室とを連設した昇降用階段の斜視図、図３は地下避難施設の斜視図、図４は自家発電施設の斜視図である。
【００１１】
上記図１〜図４において、１は敷地内に施工された自主防災システム住宅であって、該自主防災システム住宅１は、地下避難施設１Ａ、飲料水備蓄施設１Ｂおよび自家発電施設１Ｃが備えられている。
【００１２】
地下避難施設１Ａは、自主防災システム住宅１の一階廊下２に連設された昇降用階段３を介して施工された地下居室４と、地下居室４に装備された緊急用貯水タンク５および電力供給用コンセント６とによって構成されている。
【００１３】
上記地下居室４は居住空間を拡張するために施工されたものであるから、照明具、換気扇、エアコンなどが設置できるように壁面にコンセント７が配設され、天井部一側には内側から開閉可能な蓋体８ａを有するトップライト８が設置され、更にその下方には避難梯子（図示せず）が設置されて、地下居室として要求される全ての環境機能が確保されている。９は地下居室４の入出用開口部である。
【００１４】
飲料水備蓄施設１Ｂは、敷地内に埋設された貯水用タンク１０の上手側底壁１０ａの近傍部位に逆止弁１１を介して上水道管（図示せず）に接続された給水管１２と、下手側上壁１０ｂの近傍部位に接続され、オーバーフローした水を取り出す送水管１３と、貯水用タンク１０の上面１０ｃに設けた水の汲出口１４とによって構成されている。
【００１５】
自家発電施設１Ｃは、敷地内に載置された発電機１５により連動される汲上げポンプ１６と、汲上げポンプ１６を介して貯水用タンク１０の汲出口１４と地下居室４の緊急用貯水タンク５とを連通接続した汲出管１７と、発電機１５と地下居室４の電力供給用コンセント６とを接続した電力供給線１８とによって構成されている。
【００１６】
発電機１５については、風力発電機、エンジン発電機その他の発電機があるが、本発明の実施例では下記仕様の発電機を試用した。
交流定格出力（５０／６０Ｈｚ）      ２．３ＫＶＡ
連続運転可能時間（定格負荷）        約７時間
燃料タンク容量                      ９．２リットル
全長ｘ全幅ｘ全高                    ４４０ｘ４００ｘ４９５ｍｍ
乾燥重量                            ３０ｋｇ
騒音レベル（７ｍ）                  ６８ｄＢ（Ａ）定格負荷
始動方式                            リコイルスターター
発電部                              サイクロコンバーター
エンジン部                          オイルアラート、大型マフラー、
大型クリーナー
フレーム部                          燃料計付燃料タンク
【００１７】
本発明は叙上のように構成されているので、通常居住者は、地下居室４を応接室、アトリエ、書斎など所望目的に使用して、快適な生活を満喫することができる。また、上水道管（図示せず）からの水は逆止弁１１を経て給水管１２から貯水用タンク１０に流入して、送水管１３からオーバーフローするので、常時は送水管１３に設けた水道栓を開閉すれば、水を使用することができ、日常生活に支障を来すことがない。
【００１８】
一方、地震等の災害によって、地上家屋の倒壊、断水、停電等が発生したときは、上水道管の水圧が低下するに伴って逆止弁１１が作動し、貯水用タンク１０から水が上水道管側に逆流するのが阻止されるので、タンク１０内は満水状態が保持される。したがって、緊急時の場合には、発電機１５を始動させ、これに連動した汲上げポンプ１６の駆動により、汲出口１４に連通接続した汲出管１７で地下居室４に備えた緊急用貯水タンク５に水を供給することができる。
【００１９】
また、緊急時には上記発電機１５を始動させて、地下居室４の電力供給用コンセント６に電力を供給すれば、居住者は照明具やテレビのプラグをコンセント６に差し込むことにより、発電機１５の稼働中、夜間の照明が得られ、テレビの視聴もできる。このため、居住者は地域ごとに指定された避難場所へ避難することがなく、住み馴れた地下居室４を避難場所として使用し、家族揃って救助を受けるまで避難生活ができ、精神的なストレスの軽減も図ることができる。
【図面の簡単な説明】
【００２０】
【図１】地下避難施設、飲料水備蓄施設および自家発電施設を備えた自主防災システム住宅の斜射視図である。
【図２】自主防災システム住宅の一階廊下と地下居室とを連設した昇降用階段の斜視図である。
【図３】地下避難施設の斜視図である。
【図４】自家発電施設の斜視図である。
【符号の説明】
【００２１】
１      自主防災システム住宅
１Ａ    地下避難施設
１Ｂ    飲料水備蓄施設
１Ｃ    自家発電施設
２      一階廊下
３      昇降用階段
４      地下居室
５      緊急用貯水タンク
６      電力供給用コンセント
７      コンセント
８      トップライト
９      開口部
１０    貯水用タンク
１１    逆止弁
１２    給水管
１３    送水管
１４    汲出口
１５    自家発電機
１６    汲上げポンプ
１７    汲出管
１８    電力供給線
【図１】
2005042434.tif 000003
【図２】
2005042434.tif 000004
【図３】
2005042434.tif 000005
【図４】
2005042434.tif 000006